(57)【特許請求の範囲】
【請求項１】
大径ロールからウェブを巻出し製品ロールを製造する際に、該大径ロールが所定の外径よりも小径になると該小径ロールのウェブと新たな大径ロールのウェブとを接合するウェブ継ぎ装置において、
該小径ロールのウェブの巻出しを停止した状態で該ウェブを保持する第１の保持手段と、
該新たな大径ロールのウェブを該小径ロールのウェブと重なり合うように通紙する通紙手段と、
該通紙された新たな大径ロールのウェブを保持する第２の保持手段と、
該新たな大径ロールのウェブと該小径ロールのウェブとの間に、該両ウェブを接合するための接合部材を貼付する貼付手段と、
該両ウェブを切断する切断手段とをそなえ、
該接合部材が、両面接着テープ又は片面接着テープであって、該貼付手段が、該両面接着テープと該片面接着テープとを選択的に取り付け可能に構成されるとともに、該切断手段が該ウェブの送り方向に移動可能に構成されている
ことを特徴とする、ウェブ継ぎ装置。
【請求項２】
大径ロールからウェブを巻出し製品ロールを製造する際に、該大径ロールが所定の外径よりも小径になると該小径ロールのウェブと新たな大径ロールのウェブとを接合するウェブ継ぎ装置において、
該小径ロールのウェブの巻出しを停止した状態で該ウェブを保持する第１の保持手段と、
該小径ロールのウェブの幅方向に両面テープを貼付する貼付手段と、
該小径ロールのウェブを該両面テープのウェブ送り方向後端縁に沿って切断する切断手段と、
該新たな大径ロールのウェブを該小径ロールのウェブの該両面テープが貼付された側と重なり合うように通紙する通紙手段と、
該通紙された新たな大径ロールのウェブを保持する第２の保持手段とをそなえるとともに、
該切断手段が、該ウェブの送り方向に移動可能に構成され、該新たな大径ロールのウェブを該両面テープのウェブ送り方向先端縁に沿って切断するように構成されていることを特徴とする、ウェブ継ぎ装置。
【請求項３】
該両ウェブに所定の張力が付与されていることを特徴とする、請求項１又は２記載のウェブ継ぎ装置。
【請求項４】
該第１及び該第２の保持手段が、該通紙方向に沿って直列に配設され、該切断手段と該貼付手段とが該両ウェブを挟んで該第１及び該第２の保持手段の反対側に対向して配設されている
ことを特徴とする、請求項１〜３のいずれか１項に記載のウェブ継ぎ装置。
【請求項５】
該第１及び該第２の保持手段が、該両ウェブから離隔する待機位置へ一体となって移動可能に構成されていることを特徴とする、請求項４記載のウェブ継ぎ装置。
【請求項６】
該第１及び該第２の保持手段が、負圧による吸引力により該両ウェブを保持するサクションボックスとしてそれぞれ構成されている
ことを特徴とする、請求項４又は５記載のウェブ継ぎ装置。
【請求項７】
該通紙手段が、ウェブ幅方向の両側にそれぞれ回動自在に配設され回動軌跡の一部に該通紙方向を含む一対の無端部材と、該一対の無端部材間に掛け渡され該新たな大径ロールのウェブの先端を把持しつつ回動する把持部材とをそなえて構成されている
ことを特徴とする、請求項１〜４のいずれか１項に記載のウェブ継ぎ装置。
【請求項８】
該第１及び該第２の保持手段よりも下流側に、該両ウェブの接合部分を押圧するピンチロールが配設されている
ことを特徴とする、請求項１〜４のいずれか１項に記載のウェブ継ぎ装置。
【請求項９】
該貼付手段と該切断手段とが、１つのユニットとして構成されていることを特徴とする、請求項１〜４のいずれか１項に記載のウェブ継ぎ装置。
【請求項１０】
大径ロールからウェブを巻出し製品ロールを製造する際に、該大径ロールが所定の外径よりも小径になると該小径ロールのウェブと新たな大径ロールのウェブを接合し継ぎウェブを生成する方法において、
該小径ロールのウェブの巻出しを停止し該ウェブを保持するステップと、
該保持された小径ロールのウェブの幅方向に両面テープを貼付するステップと、
該保持された小径ロールのウェブを該両面テープのウェブ送り方向後端縁に沿って切断手段により切断するステップと、
該新たな大径ロールのウェブを該小径ロールのウェブの該両面テープが貼付された側と重なり合うように通紙するステップと、
該通紙された新たな大径ロールのウェブを保持するステップと、
該切断手段を該ウェブの送り方向に移動後、該保持された新たな大径ロールのウェブを該両面テープのウェブ送り方向先端縁に沿って切断するステップとをそなえている
ことを特徴とする、継ぎウェブ生成方法。
【請求項１１】
該両ウェブの接合後、該両ウェブの接合部分を押圧するステップをそなえていることを特徴とする、請求項１０記載の継ぎウェブ生成方法。
【請求項１２】
上記各ステップを該両ウェブ双方に所定の張力を付与した状態で行なうことを特徴とする、請求項１０又は１１記載の継ぎウェブ生成方法。
【発明の詳細な説明】
【０００１】
【発明の属する技術分野】
本発明は、大径の巻出しロールから小径の製品巻取りロールを製造する際に自動でウェブ継ぎを行なう装置及び方法に関し、特に、抄紙機用ワインダ及び特殊コータ等に用いて好適の、ウェブ継ぎ装置及び継ぎウェブ生成方法に関する。
【０００２】
【従来の技術】
一般に、製紙工場では大径広幅の巻取紙（以下、巻出しロール又は巻戻しロールという）を製造し、その後ワインダと呼ばれる装置を用いてこの巻取紙からユーザが求める寸法の小径の巻取紙（製品巻取りロール）を製造する。
このような製品巻取りロールの巻取り時に、巻出しロールの残量が少なくなると、この巻出しロールの次に待機している巻出しロールの先端との間でウェブ継ぎ（紙継ぎ）を行ない、このウェブ継ぎ後、製品巻取りロールへの巻取りを再開する。
【０００３】
このようなウェブ継ぎに関しては、従来より種々の装置や方法が提案されており、例えば、特開昭５２−１３７０１２号公報には、図９に示すような装置が開示されている。ここで、図９は、大径の巻出しロール（巻戻しロール）２からウェブ（紙）３を幅方向でスリッティングしながら小形の製品巻取りロール１を製造する抄紙機用ワインダＷに付設されたウェブ継ぎ装置の一例を示す図であって、大径の巻出しロール（以下、大径ロールと略す）２から巻き戻されるウェブ３はガイドロール４，５を通ってスリッタ（紙切りナイフ）７に供給され、この紙切りナイフ７で所定幅に切断される。そして、その後ガイドロール６を通り、巻取りドラム８とライダロール９とで巻き取られて製品巻取りロール１として巻き取られていく。
【０００４】
ところで、この公報では、残量が少なくなったときの巻出しロール（以下、旧ロール又は小径巻出しロールという）２′と、待機している次の大径ロール（新ロールともいう）２との間でのウェブ継ぎ（紙継ぎ）は徐動で行なわれると説明しているが、このような方式のウェブ継ぎ装置は、いまだ準静的に行なわれているのが実情である。
【０００５】
すなわち、このような紙継ぎ時には、一旦ワインダＷを停止させ、ウェブ３に所定の張力を与えながら小径巻出しロール２′をつかみ装置１４で上方に持ち上げて、待機していた大径ロール２をトランスファレール５０に沿って所定の巻出し位置（図中、左側の大径ロール２の位置）に搬入する。
この大径ロール２のウェブ先端部には、両面テープａが略全幅に亘って予め貼付されており、大径ロール２が巻出し位置に搬入されると、この大径ロール２の両面テープａの位置が、図９に示す貼り付けロール（又は、押し付けロールともいう）１６の押し付け位置の直前となるように大径ロール２の回転位相を調整する。そして、押し付けロール１６で小径巻出しロール２′のウェブ３を大径ロール２の両面テープａに押し付ける。その後、全幅の紙切りナイフ７を作動させ、小径巻出しロール２′の余分なウェブを切断し、再度、この状態で徐動に入り、巻取りを再開するのである。
【０００６】
なお、ウェブ３の接着強度は、押し付けロール１６と大径ロール２とにより形成されるニップ（押し付け部）を両面テープａが通過する際に与えられる。また、大径ロール２への両面接着テープａの貼り付けは、特公平２−０３８４９７号公報に開示されている装置等により行なわれる。この場合、大径ロール２のロール軸心に対して平行に全幅に亘って直線的にテープが貼り付けられる。このような両面接着テープ貼り付け装置は、現に商業オフセット印刷機等では実用化されている。
【０００７】
【発明が解決しようとする課題】
しかしながら、このような従来の技術では、主に装置の物理的な制約により、図１０に示すように、両面テープａと小径巻出しロール２′の切断テール端との距離（これをテール長ともいう）が数十ｃｍ〜１ｍ程度と大きくなるという課題があった。
【０００８】
このため、従来は両面テープａが製品巻取りロール１の表層部に到達すると、再度ワインダＷを停止させて、エンドユーザの印刷機や塗工機の障害とならないように、テール部分を人手により除去する必要があった。なお、このときに要求されるテール長の寸法は、全幅に亘って０〜２ｍｍである。
また、従来の技術では、ウェブ３を一方の縁部から他方の縁部に向かって切断しようとすると、未切断部分にウェブ３の張力が集中してしまい、切断終了側の縁部でウェブ３が破断してしまう場合があった。このため、一方の縁部から他方の縁部に向かってウェブ３を直線状に切断するのが困難であった。
【０００９】
また、このようなウェブ継ぎは、大径ロール２の巻出し１回毎に必ず必要となるため、トータルとして相当な稼働ロスとなる。例えば、１回のウェブ継ぎのロス時間を２分，１時間当たりの大径ロール２の巻出しを２回，工場が１日２４時間稼働で年間３５０日稼働と仮定すると、
２（分／回）×２（回／ｈ）×２４（ｈ／日）×３５０（日／年）＝３３６００分／年＝５６０ｈ／年
と、非常に大きな稼働ロスとなる。したがって、このような稼働ロスを極力抑制したいという要望がある。
【００１０】
本発明は、このような課題に鑑み創案されたもので、ウェブ継ぎ（紙継ぎ）に時にウェブが途中で破断せずに直線的に切断できるようにするとともに、テール長を極力短くできるようにして、効率的にウェブ継ぎを行なえるようにした、ウェブ継ぎ装置及び継ぎウェブ生成方法を提供することを目的とする。
【００１１】
【課題を解決するための手段】
このため、請求項１記載の本発明のウェブ継ぎ装置は、大径ロールからウェブを巻出し製品ロールを製造する際に、該大径ロールが所定の外径よりも小径になると該小径ロールのウェブと新たな大径ロールのウェブとを接合するウェブ継ぎ装置において、該小径ロールのウェブの巻出しを停止した状態で該ウェブを保持する第１の保持手段と、該新たな大径ロールのウェブを該小径ロールのウェブと重なり合うように通紙する通紙手段と、該通紙された新たな大径ロールのウェブを保持する第２の保持手段と、該新たな大径ロールのウェブと該小径ロールのウェブとの間に、該両ウェブを接合するための接合部材を貼付する貼付手段と、該両ウェブを切断する切断手段とをそなえ、該接合部材が、両面接着テープ又は片面接着テープであって、該貼付手段が、該両面接着テープと該片面接着テープとを選択的に取り付け可能に構成されるとともに、該切断手段が該ウェブの送り方向に移動可能に構成されていることを特徴としている。
【００１２】
また、請求項２記載の本発明のウェブ継ぎ装置は、大径ロールからウェブを巻出し製品ロールを製造する際に、該大径ロールが所定の外径よりも小径になると該小径ロールのウェブと新たな大径ロールのウェブとを接合するウェブ継ぎ装置において、該小径ロールのウェブの巻出しを停止した状態で該ウェブを保持する第１の保持手段と、該小径ロールのウェブの幅方向に両面テープを貼付する貼付手段と、該小径ロールのウェブを該両面テープの上流側縁（ウェブ送り方向後端縁）に沿って切断する切断手段と、該新たな大径ロールのウェブを該小径ロールのウェブの該両面テープが貼付された側と重なり合うように通紙する通紙手段と、該通紙された新たな大径ロールのウェブを保持する第２の保持手段とをそなえるとともに、該切断手段が、該ウェブの送り方向に移動可能に構成され、該新たな大径ロールのウェブを該両面テープの下流側縁（ウェブ送り方向先端縁）に沿って切断することを特徴としている。
【００１４】
また、請求項３記載の本発明のウェブ継ぎ装置は、上記請求項１又は２記載の構成において、該両ウェブに所定の張力が付与されていることを特徴としている。
また、請求項４記載の本発明のウェブ継ぎ装置は、上記請求項１〜３のいずれか１項に記載の構成において、該第１及び該第２の保持手段が、該通紙方向に沿って直列に配設され、該切断手段と該貼付手段とが該両ウェブを挟んで該第１及び該第２の保持手段の反対側に対向して配設されていることを特徴としている。
【００１５】
また、請求項５記載の本発明のウェブ継ぎ装置は、上記請求項４記載の構成において、該第１及び該第２の保持手段が、該両ウェブから離隔する待機位置へ一体となって移動可能に構成されていることを特徴としている。
また、請求項６記載の本発明のウェブ継ぎ装置は、上記請求項４又は５記載の構成において、該第１及び該第２の保持手段が、負圧による吸引力により該両ウェブを保持するサクションボックスとしてそれぞれ構成されていることを特徴としている。
【００１６】
また、請求項７記載の本発明のウェブ継ぎ装置は、上記請求項１〜４のいずれか１項に記載の構成において、該通紙手段が、ウェブ幅方向の両側にそれぞれ回動自在に配設され回動軌跡の一部に該通紙方向を含む一対の無端部材と、該一対の無端部材間に掛け渡され該新たな大径ロールのウェブの先端を把持しつつ回動する把持部材とをそなえて構成されていることを特徴としている。
【００１７】
また、請求項８記載の本発明のウェブ継ぎ装置は、上記請求項１〜４のいずれか１項に記載の構成において、該第１及び該第２の保持手段よりも下流側に、該両ウェブの接合部分を押圧するピンチロールが配設されていることを特徴としている。
また、請求項９記載の本発明のウェブ継ぎ装置は、上記請求項１〜４のいずれか１項に記載の構成において、該貼付手段と該切断手段とが、１つのユニットとして構成されていることを特徴としている。
【００１８】
また、請求項１０記載の本発明の継ぎウェブ生成方法は、大径ロールからウェブを巻出し製品ロールを製造する際に、該大径ロールが所定の外径よりも小径になると該小径ロールのウェブと新たな大径ロールのウェブを接合し継ぎウェブを生成する方法において、該小径ロールのウェブの巻出しを停止し該ウェブを保持するステップと、該保持された小径ロールのウェブの幅方向に両面テープを貼付するステップと、該保持された多小径ロールのウェブを該両面テープの上流側縁（ウェブ送り方向後端縁）に沿って切断手段により切断するステップと、該新たな大径ロールのウェブを該小径ロールのウェブの該両面テープが貼付された側と重なり合うように通紙するステップと、該通紙された新たな大径ロールのウェブを保持するステップと、該切断手段を該ウェブの送り方向に移動後、該保持された新たな大径ロールのウェブを該両面テープの下流側縁（ウェブ送り方向先端縁）に沿って切断するステップとをそなえていることを特徴としている。
【００２０】
また、請求項１１記載の本発明の継ぎウェブ生成方法は、上記請求項１０記載の構成において、該両ウェブの接合後、該両ウェブの接合部分を押圧するステップをそなえていることを特徴としている。
また、請求項１２記載の本発明の継ぎウェブ生成方法は、上記請求項１０又は１１記載の構成において、上記各ステップを該両ウェブ双方に所定の張力を付与した状態で行なうことを特徴としている。
【００２１】
【発明の実施の形態】
以下、図面により、本発明の一実施形態にかかるウェブ継ぎ装置について説明すると、図１はその全体構成を示す模式図であって、図中１は製品巻取りロール、２は大径巻出しロール（又は大径巻戻しロール）、４〜６及び１０はいずれもガイドロール、７は紙切りナイフ（スリッタ）、８は巻取りドラム、Ｗはワインダである。
【００２２】
ワインダＷは大径ロール２から小径の製品巻取りロール１を製造するものであり、上述したガイドロール４〜６，紙切りナイフ７及びガイドロール１０に大径巻出しロール２のウェブ３を通して、巻取りドラム８にてウェブ３を巻き取るようになっている。なお、図１では、いわゆる上巻出しタイプのワインダＷを示している。
【００２３】
また、大径巻出しロール（以下、大径ロールという）２はトランスファレール５０上に載置されており、このトランスファレール５０上には別の大径ロール２も待機している。そして、作業中の大径ロール２の残紙量が減少して所定の径に達すると、待機している次の大径ロール２との間でウェブ継ぎ（紙継ぎ）が行なわれるようになっている。なお、小径となった状態の巻出しロールを、待機している大径ロール２と区別するため、以下では、小径ロール２′又は旧ロール２′という。また、新たな大径ロール２を必要に応じて新ロールという。
【００２４】
次に、本装置の要部について説明すると、図２は本装置の要部構成を示す模式図である。なお、この図２は、巻出しロール２′が小径となってワインダＷが減速後停止し新ロール２のウェブ３′との間でウェブ継ぎ（紙継ぎ）を行なう状態を示しているが、巻出しロール２′をウェブ３の切断中に張力を維持しながら上昇させ、紙継ぎ時間を短縮することも可能である。
【００２５】
本装置は、図２に示すように、ガイドロール４とガイドロール５との間に介装された保持手段としてのサクションボックス（吸引装置）１００と、大径の巻出しロール２のウェブ３′をサクションボックス１００の前方まで導く通紙手段としての通紙装置１２と、大径ロール（新ロール）２のウェブ３′と小径ロール（旧ロール）２′のウェブ３との間に両面テープ（接合部材）ａを貼付するとともにウェブ３，３′を切断しうるテープ貼り兼切断装置２３とをそなえている。
【００２６】
このうち、サクションボックス１００は、負圧によりウェブ３，３′を吸引，保持するものであって、本実施形態では、ウェブ送り方向に沿って配設された下部吸引箱（第１の保持手段）１９と上部吸引箱（第２の保持手段）１８とから構成されている。
また、このサクションボックス１００は、支点１１を中心に回動可能に構成されており、図中二点鎖線（仮想線）で示す開放位置と実線で示す作動位置との間で揺動可能に構成されている。
【００２７】
そして、紙継ぎ時にはこのサクションボックス１００により負圧が作用して、所定の張力が付与された状態で旧ロール２′のウェブ３が保持されるようになっている。
一方、テープ貼り兼切断装置２３は、サクションボックス１００に対向する位置に設けられている。ここで、図３（ａ）〜（ｃ）は、テープ貼り兼切断装置２３の構成を説明するための図であって、（ａ）はその平面図、（ｂ）はその正面図、（ｃ）はその側面図である。
【００２８】
図３（ａ），（ｂ）に示すように、このテープ貼り兼切断装置２３は、両面テープ供給装置（貼付手段）２７とウェブ切断装置（切断手段）２８とをそなえており、本実施形態では、これら両面テープ供給装置２７とウェブ切断装置２８とが一体となってウェブ３の幅方向に設けられたビーム２９上を移動しうるように構成されている。
【００２９】
このうち両面テープ供給装置２７は、旧ロール２′のウェブ３上に両面テープａを略全幅に亘って貼付するものであってその送り機構については既に公知の技術である。このため、両面テープ供給装置２７の詳細な構造については説明を省略するが、この両面テープ供給装置２７としては、例えば実公平７−１４２８２号公報に開示された技術を適用することができる。
【００３０】
また、ウェブ切断装置２８は、移動台車２５上に高速度鋼又はセラミック等により形成された回転刃３１を有しており、この回転刃３１が高速回転しながらサクションボックス１００のあり溝２０に侵入し、この状態で移動台車２５がビーム２９上を移動することによりウェブ３が幅方向に直線的に切断されるようになっている（なお、切断中は各吸引箱１８，１９が作用する）。
【００３１】
また、これらの両面テープ供給装置２７及びウェブ切断装置２８は、図３（ｂ）において上下方向に進退可能に構成されている。なお、図中実線は、両面テープａの貼付及びウェブ３の切断を実行する状態を示し、仮想線は上記以外の待機状態を示している。
そして、本実施形態にかかるウェブ継ぎ装置では、旧ロール２′のウェブ３がサクションボックス１００により保持されると、テープ貼り兼切断装置２３がこのウェブ３に近接し、両面テープ供給装置２７及びウェブ切断装置２８がビーム２９上を図中右側から左側に向かって移動しながら、両面テープ供給装置２７でウェブ３に両面テープａが貼付されるとともに、ウェブ切断装置２８によりウェブ３のテール長（図５のＬ参照）が０〜２ｍｍとなるように、両面テープａの上流側縁部（ウェブ送り方向後端縁部）に沿ってウェブ３が切断されるようになっているのである。
【００３２】
すなわち、図３（ａ），（ｃ）に示すように、このテープ貼り兼切断装置２３では、ウェブ切断装置２８と両面テープ供給装置２７とがウェブ送り方向においてほとんどオフセットがないように設定されており、両面テープａのウェブ送り方向後端縁部と略一致する位置で旧ロール２′のウェブ３が切断されるようになっているのである。
【００３３】
そして、このようにウェブ３が切断されると、両面テープ供給装置２７及びウェブ切断装置２８は、図３（ｂ）中仮想線で示す待機位置に戻り、ビーム２９の左側端部で待機するようになっている。
また、旧ロール２′のウェブ３が切断されると、サクションボックス１００のうち上部吸引箱１８の負圧が解除されて、サクションボックス１００全体が図２中仮想線で示す開放位置にウェブ３を吸着したまま回動するとともに、残紙は旧ロール２′に巻き戻されるようになっている。
【００３４】
なお、サクションボックス１００の回動中心である支点１１は、ウェブ３上に位置するように設定されており、これにより、サクションボックス１００がウェブ３を保持したまま揺動してもウェブ３に張力変動が生じないようになっている。
一方、旧ロール２′に残紙が巻き戻されると、旧ロール２′は図示しないつかみ装置（図９に示す符号１４参照）により上方に持ち上げられて、待機していた大径ロール２がトランスファレール５０に沿って所定の巻出し位置（図１中、右側の大径ロール２の位置）に搬入されるようになっている。
【００３５】
また、新ロール２が所定位置に搬入されると、新旧のウェブ３，３′の幅方向のずれが図示しないエッジポジショナにより検出されて、ずれがあった場合には、新ロール２を旧ロール２′のウェブ３の位置に合致するように幅方向に移動させるようになっている。
そして、新旧のウェブ３，３′の幅方向位置が一致すると、新ロール２のウェブ３′の先端部（巻出し端又はリード端という）が図示しない巻出しモータにより繰り出され、また、床上近くに設けられた光電管によりこのリード端が検出されるようになっている。
【００３６】
また、光電管によりリード端が床上まで所定距離となったことが検出されると巻出しモータが停止して、新ロール２のウェブ３′が図２の仮想線に示すような状態となるようになっている。
そして、このような状態となると、図２に示す通紙装置１２によりウェブ３′がサクションボックス１００の前方まで送り込まれるようになっている。ここで、この通紙装置１２は新ロール２のウェブ３′をガイドロール４とガイドロール５との間に通して、少なくともウェブ３′が上記の両面テープａと重合する位置までウェブ３′を送り込ませるためのものであり、本実施形態ではつかみポール（把持部材）２１とチェーン（無端部材）２２，２２′とをそなえて構成されている。
【００３７】
このうち、つかみポール２１は、ウェブ３，３′の全幅よりも幅広に形成され、新ロール２の中心軸と平行に配設されている。また、このつかみポール２１は中空パイプ状に形成されている。そして、このつかみポール２１には、全長に亘ってサクション孔（図示せず）が設けられ、サクションボックス１００と同様に、つかみポール２１内に負圧を作用させることによりウェブ３′を保持するようになっている。
【００３８】
また、チェーン２２，２２′は、つかみポール２１の両端側にそれぞれ設けられ、クロスシャフト（図示省略）等の機械的な手段や電気的な手段により同調するように構成されている。また、この実施形態では、チェーン２２，２２′の回動軌跡の一部に通紙方向が含まれるように構成されている。なお、通紙方向は、図示するように略鉛直方向である。
【００３９】
また、つかみポール２１はチェーン２２，２２′に固定されており、駆動源（モータ）３６が回転すると、この駆動源３６の回転駆動力がチェーン２２，２２′を介してつかみポール２１に伝達されて、つかみポール２１を新ロール２の中心軸に対して略平行状態に保ったまま移動させることができるようになっている。なお、図１及び図２において、ガイドロール４の下方近傍においてチェーン２２，２２′が緩やかに湾曲しているが、これは、図示しないテンショナ等が設けられているためである。
【００４０】
このような構成により、リード端が図２に仮想線で示すような位置で新ロール２が停止すると、つかみポール２１に負圧が作用して、チェーン２２，２２′が図中時計回り方向に作動するとともに、つかみポール２１の吸引力により新ロール２のウェブ３′が保持されるようになっている。
そして、つかみポール２１がガイドロール４の外周を通ってサクションボックス１００よりも下方に設けられたピンチロール１５とガイドロール５との開放ニップ直後まで達すると、駆動源３６が停止する（図２の符号２１′参照）とともに、つかみポール２１の負圧が解除されるようになっている。なお、このようなウェブ３′の通紙時には、新ロール２の巻出しモータが駆動源３６と同期して作動し、新ロール２のウェブ３′に所定の張力が作用した状態でウェブ３′が送り込まれるようになっている。
【００４１】
また、このときには、上述したように、吸引装置１００は支点１１を中心に回動して開放位置となっているため、吸引装置１００とつかみポール２１との干渉が回避されるようになっている。
ところで、このピンチロール１５は、シリンダ２４の作動に応じて図２中左右方向に移動可能に構成されており、ガイドロール５に押し付けられる押圧状態と、ガイドロール５から離隔する開放状態（図２の仮想線の状態）との２つの状態に切り換えられるようになっている。また、ピンチロール１５には、ブラシ，フェルト，スポンジ，比較的軟らかな溝付きゴム及びベルト類等が全幅又は部分的に設けられている。
【００４２】
そして、上述のように、新ロール２のウェブ３′がピンチロール１５の直後まで送り込まれると、吸引装置１００が図２中実線の位置まで復帰するとともに、ピンチロール１５がガイドロール５に押し付けられるようになっている。また、この状態で、下のウェブ３を動かさない程度の軽ニップで図示しないモータ等によりピンチロール１５が図中時計回りに駆動され、新ロール２のウェブ３′の緩みがピンチロール１５により除去され全幅に亘って均一な張りがウェブ３′に付与されるようになっている。
【００４３】
続いて、直ちに上部吸引箱１８に負圧が作用して新ロール２のウェブ３′が上部吸引箱１８で保持されるようになっている。したがって、この新ロール２のウェブ３′には初期最低張力が作用して、ピンチロール１５との間で皺等が生じることがないのである。
そして、このようにピンチロール１５と上下吸引箱１８，１９とが作動することにより、新ロール２のウェブ３′と旧ロール２′から切断されたウェブ３とが、それぞれ張力が作用した状態で重合するようになっている。なお、ウェブ３′の両面テープａに相当する周辺には構造上負圧が作用していない。
【００４４】
そして、ウェブ切断装置２８では、このように２つのウェブ３，３′が重合した状態で、上側（即ち、新ロール２側）のウェブ３′のテール長（図５のＬ′参照）が０〜２ｍｍとなるように上面側のウェブ３′のみが、両面テープａの下流側縁部（両面テープａのウェブ送り方向先端縁）に沿って切断（表層切り）されて、相手ウェブ３に接合するようになっている。
【００４５】
以下、図３（ａ）〜（ｃ）及び図４（ａ），（ｂ）を用いてこのような表層切りについて説明する。
さて、図３（ｂ）に示すように、ウェブ切断装置２８の移動台車２５上には、回転刃３１以外にも抑え体３０，浮かせ体３２，シリンダ３３及び摺動軸受け３４が設けられている。このうちシリンダ３３は、例えば空気圧や油圧により作動するアクチュエータであって、図３（ａ）において上下方向、すなわちウェブ送り方向に伸縮可能に設けられている。また、摺動軸受け３４は、シリンダ３３の伸縮により移動台車３８をウェブ送り方向に摺動させるための軸受けである。
【００４６】
浮かせ体３２は、図４（ａ），（ｂ）に示すように、本実施形態では、針金等を屈曲させて形成されたものであり、新ロール２のウェブ３′のうち、両面テープａよりも先端側を旧ロール２′側のウェブ３から浮かせるためのものである。そして、この浮かせ体３２がウェブ３とウェブ３′との間に挿入されると、図４（ｂ）に示すような所定の隙間ｂだけウェブ３′をウェブ３から離隔させることができるようになっている。
【００４７】
また、このときには、ウェブ切断装置２８が待機位置の高さであってもウェブ３′を切断できるようになっている。
また、図示はしないが、ウェブ切断装置２８には、この浮かせ体３２をウェブ３とウェブ３′との間に挿入するための手段が設けられている。この挿入手段としては、例えば高圧エアを噴出しうるエアノズルをウェブ３端部に設けたものや、ウェブ３′をサクションボックス１００とは反対方向から吸引するような吸引ノズルをウェブ３端部に設けたものや、へら状の部材を機械的に作動させてウェブ３′を一旦持ち上げるようなものが考えられる。
【００４８】
また、抑え体３０は、ウェブ３′のみを切断（表層切り）した直後にウェブ３′の切断部を両面テープａに押し付けるための部材であって、回転刃３１に隣接して設けられるとともに、図４（ａ）に示すように、ウェブ３′の切断方向〔図４（ａ）中左側から右側への移動方向〕に対して後ろ側に設けられている。また、抑え体３０は、スポンジやゴム，フェルト等の弾性体により形成されている。なお、抑え体３０を回転ローラとして構成してもよい。
【００４９】
また、上述の浮かせ体３２及び抑え体３０は、いずれも図示しないアクチュエータにより回転刃３１に対して進退可能であって、最初の旧ロール２′のウェブ３の切断時には、これらの浮かせ体３２及び抑え体３０はウェブ３と干渉しない位置に待機するようになっている。
したがって、このようなウェブ切断装置２８により以下のようにしてウェブ３′の表層切りが行なわれるようになっている。まず、旧ロール２′側のウェブ３の切断後にウェブ切断装置２８を待機位置〔図３（ｂ）の仮想線参照〕で待機させておく。また、このときには、浮かせ体３２がウェブ３の縁部よりも外側に位置するようにウェブ切断装置２８をビーム２９の端部（図中左側端部）で待機させておく。
【００５０】
そして、ウェブ３′の通紙が行なわれるとシリンダ３３を作動させてウェブ切断装置２８を所定距離だけウェブ送り方向前方〔図３（ａ）において下方側〕に移動させる。ここで、所定距離とは、両面テープａの幅寸法（ウェブ送り方向の寸法）と同等か又は僅かに大きい程度の距離である。これは、図５に示すように、少なくとも両面テープａの幅の分だけは２つのウェブを重合させる必要があるためと、新ロール２のウェブ３′のテール長Ｌ′を極力短くしたいという要求を満たすためである。
【００５１】
そして、上述の挿入手段によりウェブ３とウェブ３′との間に浮かせ体３２を挿入する。なお、このときにも下部吸引箱１９には負圧が作用しているため、下側のウェブ３が浮き上がったりすることがない。
そして、ウェブ切断装置２８の高さを待機位置に保持したままウェブ切断装置２８をウェブ３′の幅方向に移動させるとともに、回転刃３１を回転させウェブ３′を切断するようになっている。回転刃３１が図中右方向に移動してウェブ３′を切断していくと、図４（ａ）に示すように、浮かせ体３２は、ウェブ３′の切り口３７からウェブ３とウェブ３′との間に挿入される。
【００５２】
また、このウェブ３′の切断と同時に、抑え体３０によりウェブ３′が両面テープａに次々に押し付けられて、ウェブ３とウェブ３′との間で接着強度が付与され、図５に示すような状態で接合されるのである。この際浮かせ量ｂは数ｍｍから５ｍｍ程度と小さく、しかもウェブ３′の切断された自由端長は短くサクション力が作用しないため、皺や緩みが生じることなく相手テープａに押しつけられる。
【００５３】
そして、このようなウェブ３′の接合後に、徐動を開始して、この接合部分がピンチロール１５とガイドロール５とからなるニップを通過すると、このピンチロール１５は開放位置に戻るようになっている。
また、ピンチロール１５の周速をウェブ３′の送り速度よりも高速とすることや押し付けニップ力を変更することで、ウェブ３，３′の接合部分にめくれ等のない強力な強度を持つ接着面が形成されるようになっている。
【００５４】
本発明の一実施形態としてのウェブ継ぎ装置は、上述のように構成されているので、例えば図６に示すような手順にしたがってウェブ継ぎが行なわれる。以下では、本装置を用いたオーバラップ法によるウェブ継ぎ方法の手順について説明する。
まず、図６（ａ）に示すように、旧ロール２が所定の径よりも小さくなると、ワインダＷが減速して運転張力を保持した状態で停止する。その後、サクションボックス１００が開放位置から回動して、ウェブ３に近接した位置で停止するとともに、上部吸引箱１８と下部吸引箱１９とに負圧が作用して旧ロール２′のウェブ３が保持される。
【００５５】
一方、旧ロール２のウェブ３′が保持されると、ビーム２９の一端〔図３（ｂ）中右側端部〕で停止していたテープ貼り兼切断装置２３が、待機位置高さからウェブ３に近接した高さ〔図３（ｂ）中実線で示す〕となる。
そして、この状態で、テープ貼り兼切断装置２３が他端部〔図３（ｂ）中左側端部〕に向けて移動する。このとき、テープ貼り兼切断装置２３の両面テープ供給装置２７によりウェブ３に両面テープａが貼付されるとともに、ウェブ切断装置２８により両面テープａの上流側縁部に沿ってウェブ３が切断される。つまり、ウェブ３の切断端部と両面テープａのウェブ送り方向後端縁とが略一致するように、ウェブ３が切断されるのである。なお、このときには、回転刃３１がサクションボックス１００のあり溝２０に侵入した状態で移動することにより、ウェブ３が幅方向に直線的に切断される。
【００５６】
そして、このようにウェブ３が切断されると、テープ貼り兼切断装置２３は、ビーム２９の他端側であって、且つウェブ３の縁部より外側において、図３（ｂ）中仮想線で示すような待機位置高さに戻って待機する。
また、ウェブ３が切断されると、サクションボックス１００のうち、上部吸引箱１８の負圧が解除されて残紙が開放される。そして、サクションボックス１００全体が図２中仮想線で示す開放位置に回動するとともに、残紙は旧ロール２′に巻き戻される。
【００５７】
一方、旧ロール２′に残紙が巻き戻されると、旧ロール２′は図示しないつかみ装置（図９に示す符号１４参照）により上方に持ち上げられて、待機していた大径ロール２がトランスファレール５０に沿って所定の巻出し位置に搬入される。
そして、新ロール２が所定位置に搬入されると、新ロール２のウェブ３′の先端部（リード端）が図示しない巻出しモータにより繰り出される。また、床上近くに設けられた光電管によりリード端が床上まで所定距離となったことが検出されると、巻出しモータが停止して新ロール２のウェブ３′が図２の仮想線に示すような状態となる。
【００５８】
次に、図６（ｂ）に示すように、通紙装置１２により新ロール２のウェブ３′がピンチロール１５の下方まで送り込まれる。具体的には、図２に示すチェーン２２，２２′が駆動源３６により駆動されて、つかみポール２１が新ロール２のウェブ３′と当接する。このとき、つかみポール２１には負圧が作用しているので、この負圧による吸引力によって新ロール２ウェブ３′が保持される。
【００５９】
そして、つかみポール２１がガイドロール４の外周を通ってピンチロール１５の下方まで達すると、駆動源３６が停止するとともに、つかみポール２１の負圧が解除される。
さらに、シリンダ２４が作動してピンチロール１５がガイドロール５に押し付けられる。さらに、図示しないモータによりピンチロール１５がウェブ送り方向に回転して、新ロール２のウェブ３′がもとのウェブ３の走行位置に張り戻される。
【００６０】
その後、再び吸引装置１００が図２中実線の位置まで回動して、上部吸引箱１８に再び負圧が作用して、新ロール２のウェブ３′が上部吸引箱１８で保持される。このときには、大径巻戻しロール２とピンチロール１５との間でウェブ３′に初期張力が付与された状態となり、これにより、２つのウェブ３′，３が、ともに張力が付与された状態で重合する。
【００６１】
次に、図６（ｃ）に示すように、２つのウェブ３，３′が重合した状態で、上側（即ち、新ロール２側）のウェブ３′のテール長（図５のＬ′参照）が０〜２ｍｍとなるように、ウェブ切断装置２８により上面側のウェブ３′のみが、両面テープａの下流側縁部（ウェブ送り方向先端部）に沿って切断（表層切り）される。
【００６２】
このときには、まず、図４（ａ）に示すように、シリンダ３３を作動させてウェブ切断装置２８を両面テープａの幅寸法（ウェブ送り方向の寸法）と同等か又は僅かに大きい程度の距離だけウェブ送り方向前方に移動させる。つまり、図６（ｃ）に示すように、両面テープａの幅寸法分だけ、回転刃３１の位置をずらすのである。
【００６３】
そして、ウェブ３とウェブ３′との間に浮かせ体３２を挿入し、ウェブ切断装置２８を待機位置の高さに保持したまま、ビーム２９の他端側から一端側に向けて〔即ち、図３（ｂ），図４（ａ）において左側から右側に向けて〕移動させウェブ３′を切断する。
また、このウェブ３′の切断と同時に、抑え体３０によりウェブ３′が両面テープａに次々に押し付けられて、ウェブ３とウェブ３′との間で接着強度が付与される。
【００６４】
なお、切断されたウェブ３′のリード端（排紙）は、落下して図示しないピット穴から排出される。
そして、このようなウェブ３′の接合後に、ワインダＷの徐動を開始して、両面テープａがピンチロール１５とガイドロール５とからなるニップを通過することにより強力な接着面が形成されてウェブ継ぎ（紙継ぎ）が終了する。
【００６５】
また、両面テープａがピンチロール１５を通過すると、ピンチロール１５が開放位置に戻り、ピンチロール１５の回転が停止する。また、チェーン２２，２２′は駆動源３６により逆方向に駆動されて、つかみポール２１が元の位置（図２に実線で示す）に戻されるとともに、サクションボックス１００も開放位置に戻される。
【００６６】
なお、上述では、両面テープａが貼付されてからウェブ３が切断されるように構成されているが、図３（ａ），（ｂ）に示す両面テープ供給装置２７とウェブ切断装置２８との位置を入れ換えて、旧ロール２′のウェブ３を切断しながら両面テープａを貼付していくように構成してもよい。
以上、ウェブ継ぎ時における本装置の動作について説明したが、このようなウェブ継ぎ装置によれば、以下のような効果を得ることができる。
【００６７】
まず、ウェブ継ぎ時に常に運転張力が作用しているのでウェブ継ぎ時の皺の発生や蛇行等を確実に防止できる。つまり、ワインダＷの運転が減速に入ると吸引装置１００を作用させ、運転時の張力を維持した状態でウェブ３を保持するとともに、両面テープａの貼り付け時及びウェブ３の切断時にもウェブ３がずれることがないよう上部及び下部の吸引箱１８，１９によりウェブ３が保持されるので、ウェブ継ぎ時の皺や蛇行を確実に防止することができるのである。
【００６８】
また、新ロール２のウェブ３′の表層切りの際にも上部吸引箱１８の吸引力とピンチロール１５のニップ力とによりウェブ３′に確実に張力が作用した状態でこのウェブ３′が保持されるため、この新ロール２のウェブ３′側においてもウェブ継ぎ時の皺の発生や蛇行を確実に防止することができるのである。
また、本装置によれば、ウェブ３，３′を全幅に亘って最初から最後までクリーンに且つ直線状に切断できる利点がある。つまり、ウェブ切断装置２８には回転刃３１が設けられているが、一般に回転刃３１は固定刃よりも剪断力が少ないため、ウェブ３，３′をずらそうとする力も少なく、したがって、ウェブ３，３′をクリーンに切断することができるのである。
【００６９】
なお、旧ロール２′のウェブ３はあり溝２０により、又、新ロール２のウェブ３′は浮かせ体３２により、ウェブ３，３′と回転刃３１との間で十分な押し込み量が与えられるので、クリーンな切断が長期間に亘って維持可能である。また、ウェブ３，３′の切断時には張力が作用しているが、各吸引箱１８，１９やピンチロール１５のニップ力によりウェブ３，３′が保持されているため、クロス方向への切断であっても全幅にわたって破断が防止される利点がある。
【００７０】
また、本装置によれば、テープａの端面（ウェブ送り方向の縁部）と各ウェブ３，３′の切断端部とのずれ量、即ちテール長Ｌ，Ｌ′を極力短くすることができる利点がある。具体的にはテール長Ｌ，Ｌ′を０〜２ｍｍに設定することができる。
つまり、両面テープａのウェブ送り方向後側の縁部と回転刃３１との位置を機械的に合わせておき、ウェブ３に両面テープａの貼り付け後、直ちにウェブ３を切断するため、テール長Ｌを短くすることができるとともに、このテール長Ｌを高い寸法精度で管理することができる。一方、ウェブ３′の表層切り時には、両面テープａのウェブ送り方向前側の縁部に機械的に位置を合わせてウェブ３′を切断し、その後直ちに抑え体３０によりウェブ３′を両面テープａに押し付け接着するため、やはり、テール長Ｌ′を短くすることができるとともに、このテール長Ｌ′の寸法管理も容易となる。また、このような機構により、ロール側でのずれ量（テール長Ｌ，Ｌ′）の調整のための機構も必要なくなる。
【００７１】
また、抑え体３０によりウェブ３，３′の接合部（両面テープａ貼付部）が押圧された後も、ピンチロール１５のニップにより接合部が押圧されるため、両面テープａの接着強度が高く、運転中の張力及び次工程の張力に十分耐えることができる。また、ピンチロール１５の周速をウェブ３′の送り速度よりも高速とすることで、ウェブ３，３′の接合部分にめくれ等のない強力な接着面を形成することができる。
【００７２】
また、装置全体をシンプルな構造とすることができるという利点があるほか、通紙装置としては、従来より使用されているような装置が適用可能であり、通紙後の完全自動化が可能である。また、ウェブ継ぎの自動化により、ウェブ継ぎ時の装置の稼働ロスを大幅に低減することができる。また、ウェブ３の切断（下切り）及びウェブ３′の切断（表層切り）の両方を移動台車２５上に設けられた共通の回転刃３１を利用することができ、やはり構造を簡素化することができる。
【００７３】
また、サクションボックス（保持手段）１００がウェブ送り方向に沿って直列に配設された上部吸引箱（第２の保持手段）１８と下部吸引箱（第１の保持手段）１９とから構成されているので、これらの吸引箱１８，１９を独立して作動させることにより２つのウェブ３，３′をそれぞれ必要に応じて保持することができる。
【００７４】
ところで、上述では、新旧のウェブ３，３′とを重合し、この重ね合わせ部に両面テープａを貼付する、いわゆるオーバラップ法と呼ばれるウェブ継ぎ方法について説明したが、本ウェブ継ぎ装置では、ウェブ３とウェブ３′とのそれぞれの端部を突き合わせて接着テープで接合する、いわゆるバットスプライス法（突き合わせ法）にも適用することができる。
【００７５】
以下、本装置を用いてバットスプライス法によるウェブ継ぎ方法について説明する。なお、上述したオーバラップ法のウェブ継ぎと重複する手順については極力説明を省略する。
まず、旧ロール２′のウェブ３を吸引装置１００で保持した状態で切断する。ただし、上述のオーバラップ法ではウェブ３に両面テープａを貼付しながらウェブ３を切断するのに対し、このバットスプライス法では両面テープａは貼付されない。
【００７６】
そして、上述のオーバラップ法と同様にして新ロール２のウェブ３′を送り込み、ウェブ３′をウェブ３と重合させる。次に、回転刃３１の位置を変更することなく、即ち、旧ロール２′のウェブ３を切断した位置と同じ位置でウェブ３′を切断する。これにより、旧ロール２′のウェブ３の上流側切断辺（後端側切断縁）と新ロール２のウェブ３′の下流側切断辺（先端側切断縁）とが一致した状態となる。
【００７７】
そして、このようにウェブ３′の切断後、上部吸引箱１８及び下部吸引箱１９に負圧を作用させたまま、テープ供給装置（貼付手段）２７を用いて、両ウェブ３，３′の縁部に跨がるように片面接着テープ（接合部材）を貼付する。これにより、ウェブ３，３′の片面側に接着テープが貼付されて両ウェブ３，３′を接合することができるのである（片面バットスプライス）。
【００７８】
なお、本装置をこのようなバットスプライス法にのみ適用する場合には、ウェブ切断装置２８の抑え体３０，浮かせ体３２，シリンダ３３及び摺動軸受け３４は省略してもよい。
前記バットスプライス法のより効率的な切断法として、旧ロール２′のウェブ３を吸引装置１００で保持したまま旧ロール２′側を一旦緩めて吸引装置１００を待機させ（図中の２点鎖線参照）、通紙装置１２によりウェブ３′を通紙する。再度吸引装置１００を運転位置（実線参照）に戻し、ピンチロール１５によりウェブ３′に軽めの予張力を与えた後、ウェブ３とウェブ３′とを同時にテープ貼り兼切断装置２３で切断することも考えられる。この場合、新ウェブ３′のリード端の張力を維持するという点では、多少犠牲になるが、ウェブ３′が垂直あるいは右下から左下に走行するワインダ形式では可能である。
【００７９】
そして、このようなバットスプライスでウェブ継ぎを行なう場合であっても上述と同様の効果や利点を得ることができる。
次に、本実施形態の第１の変形例について図７を用いて説明すると、この第１の変形例では、上述した実施形態におけるウェブ切断装置〔図３（ｂ）参照〕の構成のみが異なっており、これ以外については同一の構成となっている。したがって、以下では、上述の実施形態と同一の部分については詳しい説明を省略する。
【００８０】
さて、この第１の変形例では、図７に示すように、ウェブ切断装置２８′が、実施形態中のウェブ切断装置２８に対して左右逆勝手に構成されている。
つまり、このウェブ切断装置２８′では、図７中右側から左側に移動しながら旧ロール２′のウェブ３を切断した後、一旦、ビーム２９の右側端部に戻ってから待機するようになっており、新ロール２のウェブ３′の切断時には、再び、図７中右側から左側に移動しながらウェブ３′の切断を行なうようになっている。
【００８１】
そして、新ロール２のウェブ３′を図７中右側から左側に移動しながら切断した後は、再び、右側端部に戻って待機するようになっているのである。つまり、この変形例では、ウェブ切断装置２８′をそなえたテープ貼り兼切断装置２３は１回の作業毎に必ず所定の待機位置（ここでは、ビーム２９の右側端部）に戻るように構成されているのである。
【００８２】
なお、上述した実施形態では、図３（ｂ）中右側から左側に移動しながら旧ロール２′のウェブ３を切断するという動作は同じであるが、この後、ウェブ切断装置２８はビーム２９の左側端部で待機して、新ロール２のウェブ３′の切断時には、旧ロール２′のウェブ３の切断時とは逆方向に、即ち、図中左側から右側にウェブ切断装置２８が移動するように構成されており、この点が第１の変形例では異なるのである。
【００８３】
この第１の変形例は上述のように構成されているので、テープ貼り兼切断装置２３は、図中右側から左側に移動してウェブ３，３′の切断やテープ貼りの作業を終えると、一旦ビーム２９の右側に戻されて、このビーム２９の右側端部で次回の作業時まで待機する。
したがって、第１の変形例では、上述した実施形態の利点や効果に加えて、必ずウェブ３，３′の切断方向が同じとなるため、ウェブ３′を切断する場合とウェブ３を切断する場合とでウェブ切断装置２８′の制御ロジックを略共通化できる利点がある。
【００８４】
なお、上述の重ね合わせ法（オーバラップ法）及び突き合わせ法（片面バットスプライス法）では、ウェブ３とウェブ３′とを重ね合わせる際に、小径ロール２′は運転時の位置を保持しているが、図６（ａ）の２点鎖線（仮想線）で示すように、ワインダ停止後、つかみ装置（図示省略）によりウェブ３の張力を維持しながら上昇させつつ回転刃３１を走行させる方法も考えられる。この場合には、小径ロール２′の上昇とウェブ３のカッテングを同時に作業可能であり、このため紙継ぎ時間をさらに短縮出来る利点がある。
【００８５】
次に、本実施形態の第２の変形例について図８を用いて説明する。この第２の変形例は、いわゆる下巻出しタイプのワインダＷに適用したものであって、これ以外は上述の実施形態と同様に構成されている。
さて、このような下巻出しタイプのワインダＷに本装置を適用する場合には、巻出しロール２，２′の巻出し方向が上述した実施形態と異なるため、この下巻出しタイプに適合した構成が必要である。そこで、この第２の変形例では、図８に示すように、通紙装置１２に工夫がなされている。
【００８６】
すなわち、つかみポール２１が新ロール２のウェブ３′のリード端を確実に保持できるように、このつかみポール２１の待機位置が水平方向に延長されて構成されている。また、新ロール２と床面との間にはつかみポール２１が通過できるような所定の隙間が設けられている。
したがって、この第２の変形例では、ウェブ継ぎ時に新ロール２のウェブ３′のリード端がつかみポール２１の負圧により把持されると、このウェブ３′は新ロール２の下方を通ってからピンチロール１５の直前まで送り込まれる。そして、これ以外は、上述の実施形態と同様にしてウェブ継ぎが実行される。
【００８７】
このように、この第２の変形例では、通紙装置１２の構成を僅かに変更するだけで、本装置を下巻出しタイプのワインダにも適用することができるという利点がある。
なお、本発明は上述の実施形態及びその変形例に限定されるものではなく、その趣旨を逸脱しない範囲で種々変形可能である。例えば、ウェブ切断装置２８，２８′に適用される刃は回転刃３０に限定されるものではなく、全幅方向にいわゆる鋸刃を設け、この鋸刃を押し付けてウェブ３，３′を押し切るように構成してもよい。また、ワインダＷの形式等についても限定されるものではなく、種々のワインダに適用可能であり、ウェブ巻きだし方向が、水平方向のものや右上がりのもの等にも適用可能である。また、通紙手段や保持手段についても上述した通紙装置１２やサクションボックス１００に限定されるものではなく、他の種々の機構が適用可能である。また、通紙手段を設けずに、人手で通紙を行なうようにしてもよい。
【００８８】
【発明の効果】
以上詳述したように、請求項１記載の本発明のウェブ継ぎ装置によれば、第１の保持手段により小径ロールのウェブの巻出しが停止した状態でウェブが保持され、切断手段によりウェブが切断される。また、通紙手段により新たな大径ロールのウェブが小径ロールのウェブと重なり合うように通紙が行なわれ、第２の保持手段により通紙された新たな大径ロールのウェブが保持されて、切断手段により大径ロールのウェブが切断される。そして、貼付手段により新たな大径ロールのウェブと小径ロールのウェブとの間に接合部材が貼付され、両ウェブが接合されるので、ウェブ継ぎを完全に自動化することができ、ウェブ継ぎ時の稼働ロスを大幅に低減することができるという利点がある。また、ウェブに張力を付与した状態でウェブを保持できるため、ウェブの切断時に終了端近傍で破断等が生じることなく直線的にウェブを切断することができるという利点がある。さらに、上記２つのウェブを共通の切断手段で切断することができるので、装置全体の構成をシンプルなものとすることができる。また、接合部材が、両面接着テープ又は片面接着テープであって、該貼付手段が、該両面接着テープと該片面接着テープとを選択的に取り付け可能に構成されるとともに、該切断手段が該ウェブの送り方向に移動可能に構成されているので、バットスプライス法及びオーバラップ法のいずれの手法にも適用することができる。
【００８９】
また、請求項２記載の本発明のウェブ継ぎ装置によれば、第１の保持手段により小径ロールのウェブの巻出しが停止した状態でウェブが保持され、貼付手段により小径ロールのウェブの幅方向に両面テープが貼付される。また、切断手段により小径ロールのウェブが両面テープのウェブ送り方向後端縁に沿って切断されるとともに、通紙手段により新たな大径ロールのウェブが小径ロールのウェブの該両面テープが貼付された側と重なり合うように通紙が行なわれる。そして、通紙された新たな大径ロールのウェブが第２の保持手段により保持されると、該切断手段により、該新たな大径ロールのウェブが該両面テープのウェブ送り方向先端縁に沿って切断される。これにより、このようなオーバラップ法によるウェブ継ぎ時に、テール長を極力短くすることができるという利点がある。したがって、従来人手で行なっていた不要テール部の除去作業をなくすことができ、このような観点からもウェブ継ぎ時の稼働ロスを低減することができるという利点がある。また、切断手段をウェブの送り方向に移動可能に構成することにより、通常はオーバラップ法で接合する際には複数の切断手段が必要になるが、本願では１つの切断手段でオーバラップ法による接合が可能となる。
【００９１】
また、請求項３記載の本発明のウェブ継ぎ装置によれば、両ウェブに所定の張力が付与されているため、ウェブ継ぎ時の皺や蛇行を確実に防止することができる利点がある。
また、請求項４記載の本発明のウェブ継ぎ装置によれば、第１及び第２の保持手段が、通紙方向に沿って直列に配設され、切断手段と貼付手段とが両ウェブを挟んで第１及び第２の保持手段の反対側に対向して配設されているので、これらの各保持手段を独立して作動させることにより大径及び小径の巻出しロールのウェブを必要に応じて保持できるという利点がある。
【００９２】
また、請求項５記載の本発明のウェブ継ぎ装置によれば、第１及び第２の保持手段が、両ウェブから離隔する待機位置へ一体となって移動可能に構成されているので、通紙手段による通紙を円滑に行なうことができにという利点がある。
また、請求項６記載の本発明のウェブ継ぎ装置によれば、第１及び第２の保持手段が負圧による吸引力により両ウェブを保持するサクションボックスとして構成されているので、ウェブを容易に且つ確実に保持することができる。
【００９３】
また、請求項７記載の本発明のウェブ継ぎ装置によれば、通紙手段が、ウェブ幅方向の両側にそれぞれ回動自在に配設され回動軌跡の一部に通紙方向を含む一対の無端部材と、一対の無端部材間に掛け渡され新たな大径ロールのウェブの先端を把持しつつ回動する把持部材とをそなえるという構成により、簡単に大径の巻出しロールのウェブを通紙することができる利点がある。また、通紙手段を上述したような簡素な構成とすることで装置全体の信頼性を高めることができるという利点がある。
【００９４】
また、請求項８記載の本発明のウェブ継ぎ装置によれば、第１及び第２の保持手段よりもウェブ送り方向下流側に設けられたピンチロールにより両ウェブの接合部分が押圧されるので、接合部分の接着強度を大幅に高めることができる利点がある。
また、請求項９記載の本発明のウェブ継ぎ装置によれば、貼付手段と切断手段とが、１つのユニットとして構成されているので、装置全体の構成をさらにシンプルなものとすることができる。
【００９５】
請求項１０記載の本発明の継ぎウェブ生成方法によれば、小径ロールのウェブの巻出しを停止してウェブを保持し、小径ロールのウェブの幅方向に両面テープを貼付した後、小径ロールのウェブを両面テープのウェブ送り方向後端縁に沿って切断する。そして、新たな大径ロールのウェブが小径ロールのウェブの両面テープが貼付された側と重なり合うように通紙を行ない、新たな大径ロールのウェブを保持した後、新たな大径ロールのウェブを両面テープのウェブ送り方向先端縁に沿って切断するので、このようなオーバラップ法によるウェブ継ぎ時に、テール長を極力短くすることができる。したがって、従来人手で行なっていた不要テール部の除去作業をなくすことができ、ウェブ継ぎ時の稼働ロスを低減することができるという利点がある。
【００９７】
また、請求項１１記載の本発明の継ぎウェブ生成方法によれば、両ウェブの接合後、両ウェブの接合部分が押圧されるため、接合部分の接着強度を大幅に高めることができる。
さらに、請求項１２記載の本発明の継ぎウェブ生成方法によれば、各ステップを両ウェブ双方に所定の張力を付与した状態で行なうことにより、ウェブ継ぎ時の皺や蛇行を確実に防止することができる利点がある。
【図面の簡単な説明】
【図１】本発明の一実施形態にかかるウェブ継ぎ装置の全体構成を示す模式図である。
【図２】本発明の一実施形態にかかるウェブ継ぎ装置の要部構成を示す模式図である。
【図３】（ａ）〜（ｃ）は本発明の一実施形態にかかるウェブ継ぎ装置の切断手段及び貼付手段の構成を示す模式図である。
【図４】（ａ），（ｂ）は本発明の一実施形態にかかるウェブ継ぎ装置の切断手段を示す模式図である。
【図５】本発明の一実施形態かかるウェブ継ぎ装置によるウェブ継ぎ部を示す模式図である。
【図６】（ａ）〜（ｃ）は本発明の一実施形態にかかるウェブ継ぎ装置を用いたオーバラップ法によるウェブ継ぎ方法の手順を説明する図である。
【図７】本発明の一実施形態にかかるウェブ継ぎ装置における第１の変形例を説明する図である。
【図８】本発明の一実施形態にかかるウェブ継ぎ装置における第２の変形例を説明する図である。
【図９】従来のウェブ継ぎ装置の一例を示す図である。
【図１０】従来のウェブ継ぎ装置によるウェブ継ぎ部を示す図である。
【符号の説明】
１  製品巻取りロール
２  大径巻出しロール又は大径巻戻しロール（新ロール又は大径ロール）
２′  小径巻出しロール又は小径巻戻しロール（旧ロール又は小径ロール）
３，３′  ウェブ
４〜６，１０  ガイロール
７  紙切りナイフ（スリッタ）
８  巻取りドラム
１２  通紙手段
１５  ピンチロール
１８  第２の保持手段としての上部吸引箱（サクションボックス）
１９  第１の保持手段としての下部吸引箱（サクションボックス）
２０  あり溝
２１  把持部材としてのつかみポール
２２，２２′  無端部材としてのチェーン
２３  テープ貼り兼切断装置
２７  貼付手段としての両面テープ供給装置
２８  切断手段としてのウェブ切断装置
３１  回転刃
１００  保持手段としてのサクションボックス（吸引装置）
ａ  接合部材としての両面テープ
Ｌ，Ｌ′  テール長
【図１】
0003586585.tif 000002
【図２】
0003586585.tif 000003
【図３】
0003586585.tif 000004
【図４】
0003586585.tif 000005
【図５】
0003586585.tif 000006
【図６】
0003586585.tif 000007
【図７】
0003586585.tif 000008
【図８】
0003586585.tif 000009
【図９】
0003586585.tif 000010
【図１０】
0003586585.tif 000011